(57)【特許請求の範囲】
【請求項１】
複数のＬＥＤと放熱部を備え、天井内または壁内に前記放熱部が突き出して取り付けられるＬＥＤ照明器具であって、
前記複数のＬＥＤが実装された基板と、
前記基板の裏面に一体的に取り付けられた前記放熱部と、
前記基板と前記放熱部とを有する単一の照明部と、
前記照明部が着脱可能に取り付けられる器具本体と、
前記器具本体の後部から突出する突出部と、
前記突出部の先端に固定された天板と、を備え、
前記放熱部の外周は前記突出部で部分的に露出して覆われ、前記放熱部の上部は前記天板で覆われているＬＥＤ照明器具。
【請求項２】
請求項１に記載のＬＥＤ照明器具であって、
前記突出部と前記天板とが、前記放熱部の外周から離間して配置されているＬＥＤ照明器具。
【請求項３】
請求項１または２に記載のＬＥＤ照明器具であって、
前記天板には電気部品が取り付けられているＬＥＤ照明器具。
【発明の詳細な説明】
【技術分野】
【０００１】
本発明は、複数の発光ダイオード（ＬＥＤ）と放熱部を備えるＬＥＤ照明器具に関する。
【背景技術】
【０００２】
従来のＬＥＤ照明器具の一例を図４（特許文献１参照）に基づいて説明する。
【０００３】
図４に示すように、ＬＥＤ照明器具１０１は、熱伝導ユニット１２４に対して着脱可能なＬＥＤランプ２１０を備えている。熱伝導ユニット１２４には、複数の熱伝導フィン１２４ａが設けられている。また、熱伝導ユニット１２４には、金属からなるスクリーン１３３が取り付けられ、熱伝導ユニット１２４を覆っている。このスクリーン１３３は、空気の自由循環を可能にする一方で、熱伝導ユニット１２４との不測の接触に対する保護を与える。熱伝導ユニット１２４に対してピボット式に固定される取付けブラケット１３４を介して、壁、天井、柱、又は他の固定場所に対してＬＥＤ照明器具１０１を取り付けることができることが開示されている。
【先行技術文献】
【特許文献】
【０００４】
【特許文献１】特表２００８−５１８４２３号公報
【発明の概要】
【発明が解決しようとする課題】
【０００５】
ところで、従来のＬＥＤ照明器具１０１においては、熱伝導ユニット１２４を保護するためのスクリーン１３３が備えられているが、熱伝導ユニット１２４は室内に露出した状態にある。この状態であると、ＬＥＤ照明器具１０１を取り付けた場合、ＬＥＤ照明器具１０１の外観品質や見栄えが良くない。また、ＬＥＤ照明器具１０１には、商用電源（ＡＣ）と電気的に接続するための電気部品が備えられているが、室内の任意の場所におくことは、危険であるという欠点があった。
【０００６】
本発明は、上記事由に鑑みてなされたものであり、その目的は、ＬＥＤの放熱効果を高め、放熱部や電気部品を保護し、取り付け後の外観品質を向上させたＬＥＤ照明器具を提供することにある。
【課題を解決するための手段】
【０００７】
本発明のＬＥＤ照明器具は、複数のＬＥＤと放熱部を備え、天井内または壁内に前記放熱部が突き出して取り付けられるＬＥＤ照明器具であって、前記複数のＬＥＤが実装された基板と、前記基板の裏面に一体的に取り付けられた前記放熱部と、前記基板と前記放熱部とを有する単一の照明部と、前記照明部が着脱可能に取り付けられる器具本体と、前記器具本体の後部から突出する突出部と、前記突出部の先端に固定された天板と、を備え、前記放熱部の外周は前記突出部で部分的に露出して覆われ、前記放熱部の上部は前記天板で覆われている。
【０００８】
本発明のＬＥＤ照明器具において、前記突出部と前記天板とが、前記放熱部の外周から離間して配置されていることを特徴としている。
【００１０】
本発明のＬＥＤ照明器具において、前記天板には電気部品が取り付けられていることを特徴としている。
【発明の効果】
【００１１】
本発明によれば、放熱部が器具本体の後部に配置されるため、ＬＥＤから放出される熱が、放熱部を介して天井内や壁内や床下内に直接放熱可能となる。そして、ＬＥＤ照明器具の効率的な放熱が可能となり、ＬＥＤの効率や寿命の向上が図れる。また、放熱部の外周が突出部と天板とで取り囲まれる。これにより、天井内や壁内や床下内にある断熱材やＶＡ線や造営材等が直接放熱部に接触することを防止し、放熱部からの放熱が阻害されることがない。特に、天板は、断熱材やＶＡ線等が自重でしなって放熱部に干渉するのを防止し、雨漏りや埃等から放熱部を保護することが可能となる。更に、ＬＥＤ照明器具の施工や照明部の交換等において、放熱部の取り付け空間が一定して確保されるので、作業性が良好となる。
【図面の簡単な説明】
【００１２】
【図１】本発明に係るＬＥＤ照明器具の一実施形態を示す取り付け斜視図
【図２】本発明に係るＬＥＤ照明器具を示し、（ａ）は断面図、（ｂ）は正面図
【図３】本発明に係るＬＥＤ照明器具を示し、（ａ）は変形例の断面図、（ｂ）は他の変形例の断面図
【図４】従来のＬＥＤ照明器具を示し、（ａ）は斜視図、（ｂ）は他の実施例の斜視図
【発明を実施するための形態】
【００１３】
以下、本発明に係るＬＥＤ照明器具の好適な実施形態を、図１〜図３に基づいて詳述する。
【００１４】
図１と図２に基づいて、本発明のＬＥＤ照明器具における一実施形態の全体構成について説明する。
【００１５】
ＬＥＤ照明器具１は、照明部２０と器具部３０とから構成されている。照明部２０は、光源である複数のＬＥＤ２１と、カバー２２と、ＬＥＤ２１が実装される基板２３と、基板２３の裏面に一体的に取り付けられる放熱部２４と、を備えている。器具部３０は、器具本体３１と、器具本体３１の後部３１ａから突出する突出部３２と、突出部３２の先端に固定される天板３３と、を備えている。また、器具部３０には、室内の天井４０等に形成された開口部４１にＬＥＤ照明器具１を取り付けるための取付金具３４が設けられている。更に、器具本体３１の後部３１ａには、電気部品５０が取り付けられている。電気部品５０は、コネクタ５１やコード５２や電源装置５３等である。
【００１６】
複数のＬＥＤ２１は、基板２３上に実装されてモジュール化している。例えば、ＬＥＤ素子を直接基板２３上のパターンに実装して樹脂封止したＣＯＢ（Chip on Board）モジュール等である。また、ＬＥＤ２１は、例えば、白色ＬＥＤを用いてもよく、白色の発光色に限らず、赤色ＬＥＤや緑色ＬＥＤ等を用いても良い。ＬＥＤ２１の数量は、ＬＥＤ照明器具１の仕様に応じて適宜設定可能である。
【００１７】
カバー２２は、透光性の部材からなり、ＬＥＤ２１からの出射光を集光又は拡散するためのレンズステップ２２ａが、ＬＥＤ２１に対応した位置に形成されている。透光性の部材とは、例えば、アクリルやポリカーボネイト等の光学特性の優れた合成樹脂である。また、カバー２２の外周部には、カバー２２と基板２３と放熱部２４とを一体的にねじ６０で器具本体３１に取り付ける複数の孔２２ｂが設けられている。尚、前述のモジュール化は、カバー２２を含でいても良い。
【００１８】
基板２３は、例えば、熱伝導性の高いアルミ等の金属板を用いることができ、金属板に被覆形成した絶縁膜上にＬＥＤ２１を実装するための回路が形成されている。回路は、例えば、チタン（Ｔｉ）や金（Ａｕ）、銅（Ｃｕ）などの金属膜であり、ＬＥＤ２１と電気接続している。このような基板２３を用いることにより、ＬＥＤ２１からの発熱を効率よく放熱部２４に伝導し、ＬＥＤ２１の放熱特性を高めることができる。
【００１９】
放熱部２４は、放熱性に優れた（熱伝導率の高い）部材、例えば、アルミ等の金属からなり、断面略四角形状で複数の放熱フィン２４ａが設けられている。放熱フィン２４ａは、略平行状に配列されているが、放射状に配列されていても良い。また、断面略四角形状であるが、波形状であっても良い。放熱部２４がアルミ材からなる場合は、ダイキャスト方法により成形される。
【００２０】
器具本体３１は、放熱性に優れた部材、例えばアルミを用いて形成される。器具本体３１にアルミ材料を用いる場合、器具本体３１の形成方法は、ダイキャスト成形を用いることができる。器具本体３１は、略円筒状の外形とされ、その底部３１ｂ（照明部２０が取り付けられる側）には複数のねじ穴３１ｃが形成されている。
【００２１】
器具本体３１の後部３１ａに突出する突出部３２は、放熱性のあるアルミ等金属製からなり、器具本体３１に一体形成されることが望ましい。突出部３２が合成樹脂であれば、器具本体３１と別体に形成されても良い。また、突出部３２の先端に固定される天板３３も放熱性のあるアルミ等から形成されるが、合成樹脂製でも良い。本発明の実施形態では、天板３３は略平板形状を成しているが、特にこの実施形態の形状に限定されない。
【００２２】
ねじ６０の先端は、器具本体３１に形成されたねじ穴３１ｃに締結することにより、照明部２０と器具部３０とが一体化する。そして、ねじ６０による取り付けであるため、照明部２０と器具部３０とが強固な締結であると共に着脱可能である。照明部２０と器具部３０とが一体化され、放熱部２４は、器具本体３１の後部３１ａから露出する。後部３１ａとは、器具本体３１にねじ穴３１ｃが形成された底部３１ｂと反対側であり、天井内や壁内や床下内に埋め込まれる部分である。
【００２３】
本発明のＬＥＤ照明器具１は、室内の天井や壁等に取り付けるＬＥＤ照明器具１であり、天井内や壁内や床下内に器具本体３１の大半が埋め込まれる。即ち、天井内や壁内や床下内に放熱部２４がつきだした状態になる。そして、基板２３と放熱部２４が一体的に結合している。この構成により、ＬＥＤ２１から放出される熱が、放熱部２４を介して天井内や壁内や床下内に直接放熱可能となる。ＬＥＤ照明器具１の効率的な放熱が可能となり、ＬＥＤ２１の効率や寿命の向上が図れる。
【００２４】
また、放熱部２４の外周は、突出部３２と天板３３とで取り囲まれている。即ち、放熱部２４の外周は、突出部３２で覆われ、放熱部２４の上部は、天板３３で覆われている。
【００２５】
この配置構成により、天井内や壁内や床下内にある断熱材やＶＡ線や造営材等が直接放熱部２４に接触することを防止し、放熱部２４からの放熱が阻害されることがない。特に、天板３３は、断熱材やＶＡ線等が自重でしなって放熱部２４に干渉するのを防止している。また、雨漏りや埃等から放熱部２４を保護することが可能となる。更に、ＬＥＤ照明器具１の施工や照明部２０の交換等において、放熱部２４の取り付け空間が一定して確保されるので、作業性が良好となる。
【００２６】
突出部３２と天板３３は、放熱部２４の外周を取り囲んでいるが、放熱部２４の外周と当接することなく離間している。
【００２７】
この構成により、熱の空気通路が確保され、放熱部２４からの熱放出が妨げられることなく、天井内や壁内や床下内に直接放熱が可能となり、効率的な放熱が可能となる。
【００２８】
また、突出部３２は、放熱部２４の外周を部分的に覆っている。本発明の実施形態による突出部３２は、略円形状であるが、放熱部２４を断熱材等から保護可能であれば矩形状でも良く、また、平板状でも支柱状であっても良い。
【００２９】
これにより、突出部３２内で熱がこもることなく、放熱部２４の外周方向への熱放出を良好にしている。天井内や床下内では天井面や床下に対して直角方向に空気が流れるため、この流れを利用して効率的な放熱が可能となる。また、壁内では、上方向に放熱することができ、効率的な放熱が可能となる。
【００３０】
本発明の一実施形態におけるＬＥＤ照明器具１の外観形状は、略円筒形状を成しているが、矩形状でも良く、特に外観形状に限定されるものではない。
【００３１】
次に、図３を用いて、本発明のＬＥＤ照明器具１の変形例を説明する。図１および図２と同一構成については、説明を省略する。
【００３２】
図３（ａ）は、放熱部２４内にＬＥＤ２１の点灯を制御するための回路部７０が配置されている。回路部７０は、ＡＣ−ＤＣコンバータや点灯回路等からなる。回路部７０を、放熱部２４内に配置することにより、回路部７０から発生する熱を効率よく放熱することができる。また、ＬＥＤ照明器具１のコンパクト化が可能となる。
【００３３】
図３（ａ）、（ｂ）共に、電気部品５０が天板３３に取り付けられている。天板３３は、図２に比べ側方（図３右側）よりにやや延長して形成されている。図３（ａ）では、天板３３に電源装置５３が取り付けられ、図３（ｂ）では、天板３３にコード５２が取り付けられている。
【００３４】
これにより、天井内や壁内や床下内に配置される電気部品５０が、断熱材やＶＡ線や造営材等に干渉されることがなく、ＬＥＤ照明器具１の施工時や交換時の作業がスムーズに行える。また、電気部品５０が、放熱部２４に接触することを予め防止できるため、効率的な放熱が可能となる。また、電気部品５０が天井内や壁内や床下内に埋め込まれるため安全でもある。本発明のＬＥＤ照明器具１は、放熱部２４や電気部品５０等が天井内や壁内や床下内に埋め込まれるため、ＬＥＤ照明器具１の取り付け後の外観品質も良好となる。
【００３５】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【符号の説明】
【００３６】
１：ＬＥＤ照明器具
２０：照明部
２１：ＬＥＤ
２２：カバー
２３：基板
２４：放熱部
３０：器具部
３１：器具本体
３２：突出部
３３：天板
【図１】
0006011765.tif 000002
【図２】
0006011765.tif 000003
【図３】
0006011765.tif 000004
【図４】
0006011765.tif 000005